(57)【要約】【課題】  ２つの撮像素子それぞれに別々の露出制御モードを設定する際に、設定可能な露出制御モードを明示することを可能にした撮像装置を提供すること。【解決手段】  第１の撮像手段（１０５）と、所定の撮影設定について、第１の撮像手段と同一の設定を用いて撮影を行う第２の撮像手段（１０６）と、第１の撮像手段の撮影モードと、第２の撮影手段の撮影モードを、それぞれ設定するためのモード設定手段（１６６）と、第１の撮像手段の撮影モードとして所定の撮影モードが設定された場合に、モード設定手段により設定可能とする第２の撮像手段の撮影モードを制限する制御手段（１３１）と、を有する。【選択図】  図４
2018180384.tif 000002
【特許請求の範囲】
【請求項１】
第１の撮像手段と、
所定の撮影設定について、前記第１の撮像手段と同一の設定を用いて撮影を行う第２の撮像手段と、
前記第１の撮像手段の撮影モードと、前記第２の撮影手段の撮影モードを、それぞれ設定するためのモード設定手段と、
前記第１の撮像手段の撮影モードとして所定の撮影モードが設定された場合に、前記モード設定手段により設定可能とする前記第２の撮像手段の撮影モードを制限する制御手段と、
を有することを特徴とする撮像装置。
【請求項２】
前記所定の撮影設定は、絞りの設定であり、
前記制御手段は、前記第１の撮像手段の撮影モードとして、自動で絞りが設定される撮影モードが設定された場合に、絞りを手動で設定する撮影モードを、前記第２の撮像手段の撮影モードとして設定できないように制御することを特徴とする請求項１に記載の撮像装置。
【請求項３】
前記所定の撮影設定は、絞りの設定であり、
前記制御手段は、前記第１の撮像手段の撮影モードとして、絞りを手動で設定する撮影モードが設定された場合に、絞りが自動で設定される撮影モードを、前記第２の撮像手段の撮影モードとして設定できないように制御することを特徴とする請求項１に記載の撮像装置。
【請求項４】
前記設定手段により前記第１の撮像手段の撮影モードを変更するときに、設定可能とする前記第２の撮像手段の撮影モードが変化する場合に、前記第１の撮像手段の撮影モードを変更するか否かを確認する確認手段を有することを特徴とする請求項１に記載の撮像装置。
【請求項５】
前記第１の撮像手段の撮影モードと、前記第２の撮像手段の撮影モードのどちらを優先させるかを設定する優先設定手段を有し、
前記制御手段は、前記前記第１の撮像手段の撮影モードを優先させる設定がされている場合は、前記第１の撮像手段の撮影モードとして所定の撮影モードが設定されたことに応じて、前記モード設定手段により設定可能とする前記第２の撮像手段の撮影モードを制限し、前記前記第２の撮像手段の撮影モードを優先させる設定がされている場合は、前記第２の撮像手段の撮影モードとして所定の撮影モードが設定されたことに応じて、前記モード設定手段により設定可能とする前記第１の撮像手段の撮影モードを制限することを特徴とする請求項１に記載の撮像装置。
【請求項６】
前記制御手段は、前記第１の撮像手段の撮影モードと、前記第２の撮像手段の撮影モードのうち、前記優先設定手段により優先させる設定がされている撮影モードについては、選択可能な撮影モードを制限しないことを特徴とする請求項５に記載の撮像装置。
【請求項７】
前記第１の撮像手段は静止画撮影用の撮像手段、前記第２の撮像手段は動画撮影用の撮像手段であり、
前記第１の撮像手段の撮影モードは静止画の撮影モード、前記第２の撮像手段の撮影モードは動画の撮影モードであることを特徴とする請求項１に記載の撮像装置。
【請求項８】
前記第１の撮像手段は動画撮影用の撮像手段、前記第２の撮像手段は静止画撮影用の撮像手段であり、
前記第１の撮像手段の撮影モードは動画の撮影モード、前記第２の撮像手段の撮影モードは静止画の撮影モードであることを特徴とする請求項１に記載の撮像装置。
【請求項９】
前記所定の撮影設定は、露出に関する設定であり、
前記モード設定手段は、複数の露出制御モードから、前記第１の撮像手段の撮影モード、前記第２の撮像手段の撮影モードをそれぞれ設定することを特徴とする請求項１に記載の撮像装置。
【請求項１０】
前記制御手段は、前記第１の撮像手段の撮影モード、および、前記第２の撮像手段の撮影モードそれぞれについて、設定可能な撮影モードを表示手段に表示するように制御することを特徴とする請求項１に記載の撮像装置。
【請求項１１】
前記制御手段は、設定を制限する撮影モードを、前記設定手段による設定ができないようにするとともに、前記表示手段にグレーアウト表示することを特徴とする請求項１に記載の撮像装置。
【請求項１２】
前記第１の撮像手段と前記第２の撮像手段は、同じ撮像光学系により形成された被写体像を撮像することを特徴とする請求項１ないし１１のいずれか１項に記載の撮像装置。
【請求項１３】
第１の撮像手段と、所定の撮影設定について、前記第１の撮像手段と同一の設定を用いて撮影を行う第２の撮像手段と、を有する撮像装置の制御方法であって、
前記第１の撮像手段の撮影モードと、前記第２の撮影手段の撮影モードを、それぞれ設定するためのモード設定工程と、
前記第１の撮像手段の撮影モードとして所定の撮影モードが設定された場合に、前記モード設定手段により設定可能とする前記第２の撮像手段の撮影モードを制限する制御工程と、
を有することを特徴とする撮像装置の制御方法。
【請求項１４】
前記所定の撮影設定は、絞りの設定であり、
前記制御工程では、前記第１の撮像手段の撮影モードとして、自動で絞りが設定される撮影モードが設定された場合に、絞りを手動で設定する撮影モードを、前記第２の撮像手段の撮影モードとして設定できないように制御することを特徴とする請求項１３に記載の撮像装置の制御方法。
【請求項１５】
前記所定の撮影設定は、絞りの設定であり、
前記制御工程では、前記第１の撮像手段の撮影モードとして、絞りを手動で設定する撮影モードが設定された場合に、絞りが自動で設定される撮影モードを、前記第２の撮像手段の撮影モードとして設定できないように制御することを特徴とする請求項１３に記載の撮像装置の制御方法。
【請求項１６】
前記第１の撮像手段の撮影モードと、前記第２の撮像手段の撮影モードのどちらを優先させるかを設定する優先設定工程を有し、
前記制御工程では、前記前記第１の撮像手段の撮影モードを優先させる設定がされている場合は、前記第１の撮像手段の撮影モードとして所定の撮影モードが設定されたことに応じて、設定可能とする前記第２の撮像手段の撮影モードを制限し、前記前記第２の撮像手段の撮影モードを優先させる設定がされている場合は、前記第２の撮像手段の撮影モードとして所定の撮影モードが設定されたことに応じて、設定可能とする前記第１の撮像手段の撮影モードを制限することを特徴とする請求項１３に記載の撮像装置の制御方法。
【請求項１７】
請求項１３ないし１６のいずれか１項に記載の撮像装置の制御方法をコンピュータに実行させるためのプログラム。
【発明の詳細な説明】
【技術分野】
【０００１】
本発明は、複数の撮像手段を備える撮像装置に関するものである。
【背景技術】
【０００２】
２つの撮像素子を備え、被写体光を分配する光分配部によって、動画を撮像しつつ、静止画も撮像可能な撮像装置が特許文献１に開示されている。また、２つの撮像素子それぞれに、異なるシャッタスピードや、ゲインを加えることで、それぞれの露出を制御可能としている。
【先行技術文献】
【特許文献】
【０００３】
【特許文献１】特開２０１０−２７３１６５号公報
【発明の概要】
【発明が解決しようとする課題】
【０００４】
特許文献１のように、２つの撮像素子それぞれの露出を制御することにより、静止画と動画を異なる露出制御モードで同時に撮影することが可能となる。しかしながら、被写体光を光分配部で分配する構成では、レンズの絞りを別々に設定することができない。そのため、静止画と動画を異なる露出制御モードを設定する場合に、設定できない組み合わせが存在していた。
【０００５】
そこで、本発明の目的は、複数の撮像手段についてそれぞれ撮影モードを設定する場合に、適切な撮影モードの組み合わせが設定される撮像装置を提供することである。
【課題を解決するための手段】
【０００６】
上記目的を達成するために、本発明の撮像装置は、
第１の撮像手段と、所定の撮影設定について、第１の撮像手段と同一の設定を用いて撮影を行う第２の撮像手段と、第１の撮像手段の撮影モードと、第２の撮影手段の撮影モードを、それぞれ設定するためのモード設定手段と、第１の撮像手段の撮影モードとして所定の撮影モードが設定された場合に、モード設定手段により設定可能とする第２の撮像手段の撮影モードを制限する制御手段と、を有することを特徴とする。
【発明の効果】
【０００７】
本発明によれば、撮像装置の複数の撮像手段についてそれぞれ撮影モードを設定する場合に、適切な撮影モードの組み合わせが設定されるようになる。
【図面の簡単な説明】
【０００８】
【図１】撮像装置の構成を示す図である。
【図２】映像信号処理部の構成を示す図である。
【図３】露出制御モード変更処理のフローチャートである。
【図４】制約処理のフローチャートである。
【図５】制約反映処理のフローチャートである。
【図６】露出制御モード変更画面の表示例である。
【図７】露出制御モード変更画面の表示例である。
【発明を実施するための形態】
【０００９】
以下、本発明の実施形態について図１を参照して説明する。図１は本実施形態に係る撮像装置であるカメラ１００の構成例を示したブロック図である。カメラ１００は、被写体の光学像をカメラ１００内の各部へと導くレンズと、該レンズを取り外し可能に設けられたカメラ本体とからなる撮像装置である。尚、本発明が適用される撮像装置はカメラ１００だけではなく、例えば、レンズとカメラ本体とが一体構造となっているような撮像装置であってもよい。
【００１０】
レンズ１０１は、フォーカスレンズやズームレンズなどを含む複数のレンズからなるレンズ群であり、入射した被写体の光学像をハーフミラー１０３へと導く。
【００１１】
レンズ制御部１４１は、レンズ１０１を駆動するための制御部であって、レンズ制御部１４１がレンズ１０１駆動を制御することでズーム、フォーカス、絞りの制御を実行する。
【００１２】
また、レンズ１０１は、レンズマウント１０２を介してレンズとカメラ本体とがそれぞれ取り外し可能に設けられている。
【００１３】
ハーフミラー１０３は入射した光学像を２つに分離し、第一撮像素子１０５、および第二撮像素子１０６にそれぞれ導く。つまり、第一撮像素子１０５、第二撮像素子１０６は、同じレンズを用いて得られた光学像を撮像することになる。つまり、ズーム、フォーカス、絞りの制御は、第一撮像素子１０５、第二撮像素子１０６とで共通となり同一の設定値が使用される。
【００１４】
第一撮像素子１０５、および第二撮像素子１０６は、ＣＭＯＳ撮像素子等で構成される光電変換手段である。第一撮像素子１０５、および第二撮像素子１０６は、撮像レンズ１０１、シャッタ１０４からなる同じ撮像光学系で形成された被写体像を光電変換し、画像信号を出力することができる。
【００１５】
シャッタ１０４は、静止画撮影時に露光秒時を調節するフォーカルプレーンシャッタである。本実施形態では、フォーカルプレーンシャッタにて第一撮像素子１０５の露光秒時を調節する構成であるが、この限りではない。第一撮像素子１０５が電子シャッタ機能を有し、制御パルスで露光秒時を調節する構成でもよい。本実施形態のカメラでは、第一撮像素子１０５で静止画撮影を、第二撮像素子１０６で動画撮影を行うことを想定している。ただし、第二撮像素子１０６に対するシャッタを具備し、第二撮像素子１０６で静止画撮影を行う構成としてもよく、第一撮像素子１０５、および第二撮像素子１０６の用途を限定するものではない。レンズについては、静止画撮影用の第一撮像素子１０５と動画撮影用の第二撮像素子１０６とで同じものを用いるが、シャッタは第一撮像素子１０５と第二撮像素子１０６とで異なっている。従って、静止画撮影と動画撮影とで、光学ズーム、フォーカス、絞りの制御は共通となるが、シャッタの制御については、静止画撮影と動画撮影とで個別に行うことができる。従って、本実施形態のカメラでは、静止画撮影と動画撮影とでフォーカスや絞りの撮影設定は共通となり、シャッタスピードの設定は個別に行うことができる。
【００１６】
図２は映像信号処理部１２１の構成を表す図である。映像信号処理部１２１は、第一画像補正部２０１、第一現像処理部２０２、第一画像解析部２０３、第二画像補正部２０４、第二現像処理部２０５、第二画像解析部２０６、メモリインターフェイス２０７、静止画エンコード処理部２０８、動画エンコード処理部２０９からなる。
【００１７】
第一画像補正部２０１は、第一撮像素子１０５から出力される画像から、デジタルゲインやレンズ１０１の光学特性の補正等を実行して、画像を出力する。
【００１８】
第一現像処理部２０２は、第一画像補正部２０１の画像を入力とし、デジタル画像データのホワイトバランス、色補間、色補正、γ変換、エッジ強調、解像度変換、ノイズ低減処理等の処理を行う。そして、メモリインターフェイス２０７を経由して、処理を行った画像データをメモリ１３２に出力する。
【００１９】
第一画像解析部２０３は、第一画像補正部２０１の画像を入力とし、画像の明るさ、コントラスト等の解析を行い、メモリインターフェイス２０７を経由して、解析データをメモリ１３２に出力する。第一画像解析部２０３が出力した解析データは、露出制御、オートフォーカス制御に利用する。
【００２０】
第二画像補正部２０４、第二現像処理部２０５、第二画像解析部２０６は、第二撮像素子１０６が出力する画像データに対し、それぞれ第一画像補正部２０１、第一現像処理部２０２、第一画像解析部２０３と同等の処理を行う。第二撮像素子１０６で動画撮影を行う場合、ノイズリダクション等の処理を動画撮影前提とした構成としてもよい。
【００２１】
静止画エンコード処理部２０８は、メモリ１３２に配置されている画像データを入力として、例えばＪＰＥＧなどに代表される画像圧縮を行い、圧縮静止画像データを再度メモリ１３２に出力する。
【００２２】
動画エンコード処理部２０９は、メモリ１３２に配置されている複数の画像データを入力として、例えばＨ．２６４などに代表される画像圧縮を行い、圧縮動画像データを再度メモリ１３２に出力する。
【００２３】
メモリ１３２は、映像信号処理部１２１の出力画像データの他、ＣＰＵ１３１が各種処理を行なう際にデータを一時的に記憶する。
【００２４】
不揮発性メモリ１３３は、ＣＰＵ１３１が実行するプログラムデータを保持する。ＣＰＵ１３１は、不揮発性メモリ１３３からプログラムデータを読み込み、読み込んだプログラムデータに基づいて各部を制御することにより、各種処理を実行する。
【００２５】
タイミング発生部１４２は、第一撮像素子１０５、第二撮像素子１０６、映像信号処理回路１２１にタイミングを提供する。
【００２６】
バス１５０には前述した構成部以外にレンズ制御部１４１、電源１１０、メモリ１３２、不揮発性メモリ１３３、表示制御部１５１、カード入出力部１７１、そして、各種のスイッチ類が接続される。各種のスイッチとは、メインスイッチ１６１、第１レリーズスイッチ１６２、第２レリーズスイッチ１６３、露出制御モード変更ボタン１６４、動画記録開始／終了ボタン１６５、上下左右選択ボタン１６６、決定ボタン１６７である。
【００２７】
電源１１０は、バス１５０を介してカメラ１００の内部に設けられている各回路に電源供給を行う。
【００２８】
表示制御部１５１は、バス１５０を介してタイミング発生部１４２からの信号に応じて、メモリ１３２に保存された表示用画像データをＤ／Ａ変換部１５２においてデジタル画像データから表示用のアナログ画像データへと変換する。変換されたアナログ画像データは、液晶表示素子からなるＴＦＴなどの表示部１５３、若しくはＶＩＤＥＯ出力端子１５４、ＨＤＭＩ（登録商標）出力端子１５５などのケーブルを介して外部に設けられた外部表示部（不図示）に表示される。
【００２９】
尚、デジタル画像データが記憶されているメモリ１３２内部の領域をＶＲＡＭと呼ぶ。表示制御部１５１が、メモリ１３２のＶＲＡＭを読み出し前述の処理をおこなうことで、表示部１５３に表示用のアナログ画像データが更新される。そして、上述の動作を連続的におこない表示部１５３に表示画像が更新され続けることによって動画の表示が可能となる。
【００３０】
カードスロット１７２は、例えばＳＤカード等の着脱可能な記録媒体１７３を差し込み可能である。そして、記録媒体１７３は、カードスロット１７２に差し込まれた状態でカード入出力部１７１と電気的に接続される。この状態で、メモリ１３２に記録されている画像データを記録媒体１７３へと記録することが可能である。また、記録媒体１７３の内部に記録されたデータをカメラ１００で読み出すことも可能である。
【００３１】
ＣＰＵ１３１は、バス１５０を介して上述したようなカメラ１００内の各部へと接続されており、カメラ１００内の各部を統括的に制御する制御部である。本実施形態では、ＣＰＵ１３１は、レンズ制御部１４１、タイミング発生部１４２、映像信号処理部１２１、表示制御部１５１に対して、カメラ１００内の各部の制御を指示する。尚、上述したような制御部や処理部を設けずに、ＣＰＵ１３１がカメラ１００内の各部の駆動を制御するような構成であっても良い。また、ＣＰＵ１３１を設けずに上述した制御部や処理部がそれぞれ連動して制御（処理）をおこなうことでカメラ１００内の各部の駆動を制御するような構成であってもよい。
【００３２】
以下、本実施形態に係る撮像装置であるカメラ１００の基本動作について図１を参照して説明する。まず、ユーザによりメインスイッチ１６１がオンされることで、電源１１０はカメラ１００を構成する各部へと電源を供給する。
【００３３】
次に、カメラ１００を構成する各部へと電源の供給がなされると、第二撮像素子１０６に、レンズ１０１によって導かれた被写体の光学像が結像される。
【００３４】
次に、第二撮像素子１０６から定期的（例えば１秒に６０回）に画像データが取り込まれ、各種処理を実行した後にメモリ１３２のＶＲＡＭへ配置する。これにより、第二撮像素子１０６から取り込んだ画像データを表示部１５３に逐次表示（ライブビュー）することができる。
【００３５】
次に、上下左右選択ボタン１６６、決定ボタン１６７をユーザが操作することによって、ＧＵＩに表示された各種のパラメータの選択と設定を行うことが可能である。
【００３６】
また、露出制御モード変更ボタン１６４をユーザが押下することで、露出制御モードの選択と設定を行うことが可能である。ここで、露出制御モードとは、カメラの撮影モードのことであり、カメラでの露出制御の設定に関する撮影モードである。
【００３７】
次に、ライブビュー中にユーザが動画記録開始／終了ボタン１６５を押すと、動画の記録が開始または終了される。
【００３８】
次に、第１レリーズスイッチ１６２（以下ＳＷ１）はレリーズボタン（不図示）の第１ストローク（半押し状態）でオンとなり、被写体の撮影準備を開始する。ここで、撮影準備の詳細としては、レンズ制御部１４１によるレンズ１０１の駆動制御によって前述したフォーカス、ズーム、絞りなどの制御を必要に応じて実行する。
【００３９】
次に、第２レリーズスイッチ１６３（以下ＳＷ２）は、レリーズボタン（不図示）の第２ストローク（全押し状態）でオンとなり、被写体の撮影を開始する。被写体の撮影の詳細としては、シャッタ１０４と、第一撮像素子１０５を駆動することで被写体の光学像を取り込み、画像データを取り込む。
【００４０】
以上が本実施形態におけるカメラ１００の基本動作である。
【００４１】
このように、本実施形態におけるカメラ１００は、２つの撮像素子に対してレンズは１つであり、２つの撮像素子において、レンズの絞りの設定は共通の設定にする必要がある。そのため、２つの撮像素子それぞれについて個別に露出制御モードが設定可能な場合、絞りの設定をそれぞれ手動で設定する露出制御モードが選択されてしまうと、２つの撮像素子を用いて同時に撮影することができなくなってしまう。そこで、本実施形態のカメラ１００では、露出制御モードの変更を行う場合、以下の処理を行う。２つの撮像素子を用いて同時に撮影を行う場合に上記の課題が発生するため、同時撮影モードの場合に以下の処理を実行して設定可能な露出制御モードを制限し、一方の撮像素子のみを用いて撮影する撮影モードの場合は、設定可能な露出制御モードの制限を行わないようにしてもよい。
【００４２】
以下露出制御モード変更について、図３〜５のフローチャートで説明する。この処理は、不揮発性メモリ１３３に記録されたプログラムをＣＰＵ１３１が読み込み、読み込んだプログラムをＣＰＵ１３１が実行することにより実現する。なお、この処理は、露出制御モードの変更を行うことが指示された場合に実行される。
【００４３】
露出制御モード変更処理が開始されると、図３の露出制御モード変更処理が開始される。まず、Ｓ３０１では、ＣＰＵ１３１は、表示制御部１５１へ指示し、露出制御モード設定画面を表示部１５３へ表示させる。
【００４４】
露出制御モード設定画面の例を図６に示す。
【００４５】
表示部１５３には、選択可能な設定の大項目として、優先モード設定６０１、絞り制御自動・手動設定６０２、静止画露出制御モード設定６０３、動画露出制御モード設定６０４が表示される。大項目のうち、現在選択中の項目には、選択中であることが分かるように、選択カーソルを示す太枠や背景色を変えて表示する。
【００４６】
優先モード設定６０１は、静止画露出制御モード優先６１１、動画露出制御モード優先６１２の下位項目を含み、下位項目が上下に並べて表示される。下位項目においても、現在選択されている項目については、選択中であることが分かるように、選択カーソルを示す枠を表示したり、背景色を変えて表示する。
【００４７】
絞り制御自動・手動設定６０２は、絞り制御自動６２１、絞り制御手動６２２の下位項目を含み、下位項目が上下に並べて表示される。
【００４８】
静止画露出制御モード設定６０３は、下位項目６３１〜６３４を含み、左右に並べて表示される。下位項目は、静止画シャッタ優先露出制御モード（Ｔｖモード）６３１、静止画プログラム露出制御モード（Ｐモード）６３２、静止画絞り優先露出制御モード（Ａｖモード）６３３、静止画マニュアル露出制御モード（Ｍモード）６３４を表わす。
【００４９】
動画露出制御モード設定６０４は、下位項目６４１〜６４４を含み、左右に並べて表示される。下位項目は、動画Ｔｖモード６４１、動画Ｐモード６４２、動画Ａｖモード６４３、動画Ｍモード６４４を表わす。
【００５０】
図６（ａ）では、大項目のうち優先モード設定６０１を選択中であり、動画露出制御モード優先６１２と、静止画Ｔｖモード６３１と、動画Ｐモード６４２にカーソルが当たった選択状態で表示されている。
【００５１】
図６（ｂ）では、絞り制御自動・手動設定６０２を選択中であり、絞り制御自動６２１と、静止画Ｔｖモード６３１と、動画Ｐモード６４２にカーソルが当たった選択状態で表示されている。
【００５２】
図６（ｃ）では、大項目のうち優先モード設定６０１を選択中であり、静止画露出制御モード優先６１１と、静止画Ｔｖモード６３１と、動画Ｐモード６４２にカーソルが当たった選択状態で表示されている。
【００５３】
図６（ｄ）では、大項目のうち動画露出制御モード設定６０４を選択中であり、動画露出制御モード優先６１２と、静止画Ｍモード６３４と、動画Ａｖモード６４３にカーソルが当たった選択状態で表示されている。
【００５４】
図３に戻って、Ｓ３０２では、ＣＰＵ１３１は、上下左右選択ボタン１６６の上下ボタンが押下されたかを判断する。上下ボタンが押下された場合、Ｓ３０３に進み、そうでない場合にはＳ３０４の判定に進む。
【００５５】
Ｓ３０３では、ＣＰＵ１３１は、上下ボタンの押下に応じて、大項目のうちの選択中の項目を変更する。優先モード設定６０１が選択中であった場合は、選択中の大項目を絞り制御自動・手動設定６０２に変更し、絞り制御自動・手動設定６０２が選択中であった場合は、選択中の大項目を静止画露出制御モード設定６０３に変更する。そして、静止画露出制御モード設定６０３が選択中であった場合は、選択中の大項目を動画露出制御モード設定６０４に変更し、動画露出制御モード設定６０４が選択中であった場合は選択中の大項目を優先モード設定６０１に変更する。大項目が選択されていない場合は、優先モード設定６０１を選択するようにする。
【００５６】
Ｓ３０４では、ＣＰＵ１３１は、上下左右選択ボタン１６６の左右ボタンが押下されたかを判断する。左右ボタンが押下された場合、Ｓ３０５、Ｓ３０７、Ｓ３０９、Ｓ３１１の判定に進み、そうでない場合にはＳ３０２の判定に戻る。
【００５７】
Ｓ３０５、Ｓ３０７、Ｓ３０９、Ｓ３１１では、現在選択中の大項目が、優先モード設定６０１、絞り制御自動・手動設定６０２、静止画露出制御モード設定６０３、動画露出制御モード設定６０４のいずれであるかを判定する。
【００５８】
Ｓ３０５で、選択中の大項目が優先モード設定６０１であると判定された場合は、Ｓ３０６において、優先モード設定を変更する。静止画露出制御モード優先６１１と動画露出制御モード優先６１２のどちらも選択されていない場合は、静止画露出制御モード優先６１１を選択する。現在選択中の設定が静止画露出制御モード優先６１１であった場合は動画露出制御モード優先６１２へ設定を変更する。動画露出制御モード優先６１２が選択中の場合は、優先モード設定６０１の設定を解除し、静止画露出制御モード優先６１１も動画露出制御モード優先６１２も選択されていない、優先モードが設定されていない状態に設定を変更する。また、本実施形態では、優先モード設定６０１と、絞り制御自動・手動設定６０２のどちらかの下位項目のみを設定可能とする。そのため、Ｓ３０６での変更後の設定が、静止画露出制御モード優先６１１または動画露出制御モード優先６１２の場合は、絞り制御自動・手動設定６０２の設定を解除する。その後、Ｓ３１３の制約処理に進む。
【００５９】
制約処理Ｓ３０７において、ＣＰＵ１３１により、絞り制御自動・手動設定６０２が選択中と判定された場合、Ｓ３０８に進む。
【００６０】
Ｓ３０８では、ＣＰＵ１３１は、Ｓ３０４での左右ボタンの押下に応じて、絞り制御自動・手動設定を変更する。絞り制御自動６２１が選択中の場合は絞り制御手動６２２へカーソルを移動し、設定を変更する。絞り制御手動６２２が選択中の場合はカーソルの表示を消し、絞り制御自動６２１と絞り制御手動６２２のどちらも選択されていない状態、つまり、絞り制御自動・手動設定がされていない状態に変更する。絞り制御自動・手動設定がされていない場合には、左右ボタンの押下に応じて、絞り制御自動６２１を選択するように設定を変更する。また、Ｓ３０８での変更後の設定が、絞り制御自動６２１または絞り制御手動６２２の場合は、優先モード設定６０１の設定を解除する。その後、Ｓ３１３の制約処理に進む。
【００６１】
Ｓ３０９では、ＣＰＵ１３１は、静止画露出制御モード設定６０３が選択中かどうかを判定する。静止画露出制御モード設定６０３が選択中の場合、Ｓ３１０において、静止画露出制御モード設定を変更する。つまり、左右ボタンの押下に応じて、静止画露出制御モード設定を、静止画露出制御モード６３１〜６３４のうち、ボタンに応じた方向に表示されているモードに設定を変更する。その後、Ｓ３１３の制約処理に進む。
【００６２】
Ｓ３１１では、動画露出制御モード設定６０４が選択中であるかを判定し、動画露出制御モード設定６０４が選択中の場合、Ｓ３１２に進み、そうでない場合、Ｓ３０２の判定に戻る。
【００６３】
Ｓ３１４では、左右ボタンの押下に応じて、動画露出制御モード設定を、動画露出制御モード６４１〜６４４のうちの、ボタンに応じた方向に表示されているモードに設定を変更する。そして、Ｓ３１３の制約処理に進む。
【００６４】
Ｓ３１３の露出制御モード判定の処理については、後で詳細に説明する。
【００６５】
Ｓ３１４では、ＣＰＵ１３１は、決定ボタン１６７が押下されたかを判断する。決定ボタン１６７が押下された場合、露出制御モード変更を終了し、そうでない場合、Ｓ３０２の判定に戻り、Ｓ３０２〜Ｓ３１４の処理を繰り返す。
【００６６】
このように、露出制御モード設定画面が表示されているときには、上下ボタンへの操作に応じて選択中の大項目を変更し、左右ボタンへの操作で、選択中の大項目内の設定を変更する。また、大項目内の設定を変更する場合は、変更前と変更後の設定をメモリ１３２に保持しておく。
【００６７】
次に、露出制御モード判定処理について、図４のフローチャートで説明する。
【００６８】
Ｓ４０１では、ＣＰＵ１３１は、優先モード設定６０１を判定する。Ｓ４１２では、ＣＰＵ１３１は、絞り制御自動・手動設定６０２を判定する。優先モード設定６０１も、絞り制御自動・手動設定６０２も、どちらも下位項目が設定されていない場合は、Ｓ４１７に進む。
【００６９】
Ｓ４０１で、優先モード設定６０１に含まれる下位項目のいずれかが選択されていると判定された場合、Ｓ４０２に進み、Ｓ４１２で、絞り制御自動・手動設定６０２に含まれる下位項目のいずれかが選択されていると判定された場合、Ｓ４１３に進む。
【００７０】
Ｓ４０２では、ＣＰＵ１３１は、優先モード設定６０１に含まれる下位項目の設定状態を取得して、Ｓ４０３に進む。
【００７１】
Ｓ４０３では、ＣＰＵ１３１は、優先モード設定６０１で静止画露出制御モード優先６１１が選択されているかを判定する。静止画露出制御モード優先６１１が選択されている場合、Ｓ４０４に進み、動画露出制御モード優先６１２が選択されている場合、Ｓ４０８に進む。
【００７２】
Ｓ４０４では、ＣＰＵ１３１は、静止画露出制御モード設定６０３の下位項目６３１〜６３４の設定状態を取得して、Ｓ４０５に進む。
【００７３】
Ｓ４０５では、ＣＰＵ１３１は、Ｓ４０４で取得した静止画露出制御モード設定が、絞り制御自動の露出制御モードであるかを判定する。ここで、絞り制御自動の露出制御モードとは、絞りの設定が自動で決定される、シャッタ優先露出制御モード（Ｔｖモード）、プログラム露出制御モード（Ｐモード）である。そして、絞り制御手動の露出制御モードとは、絞りの設定をユーザが手動で決定する、絞り優先露出制御モード（Ａｖモード）、マニュアル露出制御モード（Ｍモード）である。静止画露出制御モード設定が、絞り制御自動の露出制御モードである場合、Ｓ４０６に進み、絞り制御手動の露出制御モードである場合、Ｓ４０７に進む。
【００７４】
Ｓ４０６では、ＣＰＵ１３１は、絞り制御手動の動画露出制御モードに制約を発生させ、Ｓ４１８に進む。図６（ｃ）は、絞り制御手動の動画露出制御モードに制約を発生、つまり、絞り制御手動の動画露出制御モードの設定を不可にした状態での画面例を示している。絞り制御手動の動画露出制御モードは、動画Ａｖモード６４３と動画Ｍモード６４４であるため、この２つのモードを設定不可にし、設定不可であることをユーザに通知するためにグレーアウト表示している。
【００７５】
Ｓ４０７では、ＣＰＵ１３１は、絞り制御自動の動画露出制御モードに制約を発生して設定不可にし、Ｓ４１８に進む。絞り制御自動の動画露出制御モードは、動画Ｔｖモード６４１と、動画Ｐモード６４２である。
【００７６】
Ｓ４０８では、ＣＰＵ１３１は、動画露出制御モード設定６０４の下位項目６４１〜６４４の設定状態を取得して、Ｓ４０９に進む。
【００７７】
Ｓ４０９では、ＣＰＵ１３１は、Ｓ４０８で取得した動画露出制御モード設定が、絞り制御自動の露出制御モードであるかを判定する。絞り制御自動の露出制御モードである場合、Ｓ４１０に進み、絞り制御手動の露出制御モードである場合、Ｓ４１１に進む。
【００７８】
Ｓ４１０では、ＣＰＵ１３１は、絞り制御手動の静止画露出制御モードに制約を発生して設定不可にし、Ｓ４１８に進む。絞り制御手動の静止画露出制御モードは、静止画Ａｖモード６３３と、静止画Ｍモード６３４となる。
【００７９】
Ｓ４１１では、ＣＰＵ１３１は、絞り制御自動の静止画露出制御モードに制約を発生して設定不可にし、Ｓ４１８に進む。絞り制御自動の静止画露出制御モードは、静止画Ｔｖモード６３１と、静止画Ｐモード６３２となる。
【００８０】
Ｓ４１３では、ＣＰＵ１３１は、絞り制御自動・手動設定６０２に含まれる下位項目の設定状態を取得して、Ｓ４１４に進む。
【００８１】
Ｓ４１４では、ＣＰＵ１３１は、絞り制御自動６２１が選択されているかを判定する。絞り制御自動６２１が選択されている場合、Ｓ４１５に進み、絞り制御手動６２２が選択されている場合、Ｓ４１６に進む。
【００８２】
Ｓ４１５では、ＣＰＵ１３１は、絞り制御手動の露出制御モードに制約を発生して設定不可にし、Ｓ４１８に進む。図６（ｂ）は絞り制御手動の露出制御モードに制約を発生、つまり、静止画および動画の絞り制御手動の露出制御モードの設定を不可にした状態の画面例である。絞り制御手動の露出制御モードは、静止画Ａｖモード６３３と、静止画Ｍモード６３４と、動画Ａｖモード６４３と、動画Ｍモード６４４であるため、この４つのモードを設定不可にし、設定不可であることをユーザに通知するためにグレーアウト表示している。
【００８３】
Ｓ４１６では、ＣＰＵ１３１は、絞り制御自動の露出制御モードに制約を発生して設定不可にし、Ｓ４１８に進む。絞り制御自動の露出制御モードは、静止画Ｔｖモード６３１と、静止画Ｐモード６３２と、動画Ｔｖモード６４１と、動画Ｐモード６４２となる。
Ｓ４１７では、ＣＰＵ１３１は、露出制御モードの制約を解除し、静止画露出制御モード、動画露出制御モードのいずれの項目も設定可能となるようにする。なお、Ｓ４０６、Ｓ４０７、Ｓ４１０、Ｓ４１１、Ｓ４１５、Ｓ４１６、Ｓ４１７のいずれかで決定された露出制御モードの制約の情報は、既に保持されている変更前の制約の情報と共に、変更後の制約の情報としてメモリ１３２に保持する。
【００８４】
Ｓ４１８では、ＣＰＵ１３１は、これまでに判定した露出制御モードの制約をカメラ１００の設定として反映させるための制約反映処理を行ってから制約処理を終了する。
次に、制約反映処理について、図５のフローチャートで説明する。
【００８５】
Ｓ５０１では、ＣＰＵ１３１は、メモリ１３２から、露出制御モードの設定変更前の制約の情報と、変更後の制約の情報を取得し、Ｓ５０２に進む。
【００８６】
Ｓ５０２では、ＣＰＵ１３１は、Ｓ５０１で取得した情報から、設定の変更前と変更後とで制約が変化したかを判定する。変化があった場合は、Ｓ５０３に進み、変化がなかった場合、Ｓ５０５に進む。
【００８７】
Ｓ５０３では、ＣＰＵ１３１は、露出制御モードの制約の変化よって、制約が発生し、設定不可となった項目が、現在選択中であるかを判定する。制約が発生した露出制御モードが選択中であると判定された場合は、Ｓ５０４の処理を実行し、そうでない場合は、Ｓ５０４を実行せずに、Ｓ５０７へ進む。
【００８８】
Ｓ５０４では、選択中の露出制御モードの強制変更を行う。つまり、制約が発生して設定不可となったにもかかわらず選択中である場合、選択中の露出制御モードを、設定可能な露出制御モードに強制的に変更する。例として、図６（ａ）で動画Ｐモード６４２が選択されている状態から、図６（ｄ）のように動画Ａｖモード６４３が選択された状態へ変化したとする。この場合、新たに静止画Ｔｖモード６３１と、静止画Ｐモード６３２へ制約が発生する。このとき、静止画Ｔｖモード６３１は選択不可能となり、静止画Ｍモード６３４へと強制変更する。強制変更する場合は、絞り制御が自動・手動の変化に対応する露出制御モードへと変更する。前述の例以外では、Ｐモードが選択不可能になった場合は、Ａｖモードへ強制変更する。強制変更するモードが確定したら、Ｓ５０７に進む。本実施形態では、強制変更処理において、他の露出制御モードを選択するものとしたが、設定不可な露出制御モードの選択を解除するだけにしもよい。
【００８９】
Ｓ５０５では、ＣＰＵ１３１は、露出制御モードの変更により制約が発生し設定不可である露出制御モードが選択されたかを判定する。図６（ａ）を例にすると、グレーアウトされている静止画Ａｖモード６３３、あるいは静止画Ｍモード６３４が選択されたか否かを判定する。制約が発生している露出制御モードが選択された場合は、Ｓ５０６に進み、そうでない場合は、Ｓ５０７に進む。
【００９０】
Ｓ５０６では、ＣＰＵ１３１は、メモリ１３２から変更前の露出制御モードの設定を取得し、変更された露出制御モードを変更前の露出制御モードに戻し、Ｓ５０７に進む。
Ｓ５０７では、ＣＰＵ１３１は、ここで露出制御モードの制約を確定し、制約の反映を行う。反映においては、露出制御モード変更画面の更新により、制約が発生した項目のグレーアウト表示への変更や、確定した制約の情報をメモリ１３２に保持する。保持した露出制御モードの制約の情報は、Ｓ５０１で、変更前の制約情報として利用される。
【００９１】
上述の実施形態では、Ｓ５０７において露出制御モード変更画面の更新を行うものとした。しかし、図４における制約の判定が終了したタイミングで露出制御モード変更画面を更新し、反映処理により選択中の露出制御モードが変更される場合に、再度露出制御モード変更画面を更新するようにしてもよい。また、選択中の露出制御モードの強制変更時に、強制変更が実行される旨をユーザに通知するための表示を行ってもよい。強制変更される項目について、強制変更前の設定と強制変更後の設定も共に通知してもよい。さらに、強制変更を実行するか否かをユーザが選択可能な画面を表示し、強制変更しないと選択された場合は、変更前の設定に戻すようにしてもよい。
【００９２】
また、Ｓ５０５でＹｅｓ、つまり、露出制御モードの設定の変更の操作により、制約が発生している露出モードが選択された場合、設定を前に戻すか、優先モード設定６０１／絞り制御自動・手動設定６０２の設定を変更するかをユーザに選択させるようにしてもよい。
【００９３】
例えば、図７（ａ）のように、動画露出制御モード優先６１２、静止画Ｐモード６３２、動画Ｐモード６４２が設定されている状態において、ユーザが大項目の静止画露出制御モード選定６０３を選択して、静止画Ａｖモード６３３に変更する操作を行ったとする。この場合、図７（ｂ）のように、静止画露出制御モード優先へ変更するか否かをユーザに確認する表示７０１を行う。ＯＫボタン７０２が選択された状態で決定ボタンが操作されたら、静止画露出制御モード優先へ変更する。決定ボタンが操作される前のＯＫボタン７０２が選択された状態では、静止画露出制御モード優先への変更後の設定が分かるように、選択中の項目とは形状または色が異なる枠で表示するようにしてもよい。図７（ｂ）では、ユーザ操作により変更された静止画Ａｖを二重枠で表示している。そして、静止画露出制御モード優先へ変更した場合の設定を実線、変更前の現在設定されている優先モード、露出制御モードの設定を点線で表示している。図７（ｂ）において静止画露出制御モード優先へ変更した場合、動画Ｐモード６４２は制約が発生し設定不可となる。そのため、静止画露出制御モード優先へ変更した後に設定される動画露出制御モード（図７（ｂ）では動画Ａｖモード）も変更後の設定として表示し、変更後に選択不可となるモードはグレーアウト表示している。或いは、静止画露出制御モード優先へ変更した後は、静止画露出制御モードの設定を解除し、どのモードも選択されていない状態にしてもよい。図７（ｂ）の画面においてキャンセルボタン７０３が選択された状態で決定ボタンが操作されると、変更前の元の設定、つまり、静止画露出制御モードを静止画Ｐモードへ設定を戻す。図７（ｃ）のように、決定ボタンが操作される前のキャンセルボタン７０３が選択された状態において、キャンセルした場合の設定が分かるように表示するとよい。図７（ｃ）では、キャンセルが実行された場合には、静止画Ａｖモード６３３に変更する操作を行う前、つまり、図７（ａ）の状態に戻る。そのため、キャンセルが実行により設定される優先モード、露出制御モードを実線で表示し、ユーザの操作により変更指示があったモード（静止画Ａｖモード）は、点線で表示している。
【００９４】
以上説明した本発明の露出制御モード変更処理によれば、２つの撮像素子に対して、それぞれどのような露出制御モードが設定可能か、ユーザが識別することができる。さらに、ユーザの選択に応じて露出制御モードを制約することにより、２つの撮像素子それぞれの露出制御モードにおいて不整合が起きることを防ぐことができる。
【００９５】
［その他の実施形態］
以上、本発明の好ましい実施形態について説明したが、本発明はこれらの実施形態に限定されず、その要旨の範囲内で種々の変形及び変更が可能である。
【００９６】
上述の実施形態では、２つの撮像素子を有するカメラについて説明したが、２つ以上の撮像素子を有するカメラにおいて適応してもよい。また、複数の撮像素子において絞りの設定が共通となる構成を前提に説明したが、絞りの設定に限定されない。複数の撮像素子において所定の撮影設定が共通の場合に、その撮影設定を調整可能な複数の撮影モードがある場合にも本発明は適応可能である。
【００９７】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００９８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００９９】
その場合、プログラムの機能を有していれば、オブジェクトコード、インタプリタにより実行されるプログラム、ＯＳに供給するスクリプトデータ等、プログラムの形態を問わない。
【０１００】
プログラムを供給するための記録媒体としては、例えば、ハードディスク、磁気テープ等の磁気記録媒体、光／光磁気記憶媒体、不揮発性の半導体メモリでもよい。
【図１】
2018180384.tif 000003
【図２】
2018180384.tif 000004
【図３】
2018180384.tif 000005
【図４】
2018180384.tif 000006
【図５】
2018180384.tif 000007
【図６】
2018180384.tif 000008
【図７】
2018180384.tif 000009